(57)【要約】【課題】  正しい操作手順に導く。【解決手段】  電子血圧計１は、フロントカバーの開閉を検出するフロントカバー検出スイッチ２１を有する。フロントカバーを被測定者が開けると、フロントカバー検出スイッチ２２はカバーが開かれたことを検出して検出信号を制御部１６に出力する。制御部１６のＣＰＵ１６１は、当該検出信号が与えられると、応じて、操作部４の各種スイッチのうち最初に操作すべき種類の操作スイッチは電源スイッチ４１であることを、電源スイッチＬＥＤ５１を点滅/点灯させることにより報知する。【選択図】        図４
2007044438.tif 000002
【特許請求の範囲】
【請求項１】
血圧測定部位に装着されるカフと、
前記カフに加える圧力を調整する加圧・減圧手段と、
カフ内の圧力を検出する圧力検出手段と、
圧力検出手段による検出信号に基づき血圧を算出する血圧算出手段と、
算出された血圧値を記憶する記憶手段と、
少なくとも血圧値を表示する表示手段と、
複数種類の操作スイッチを有する操作部と、を備え、
前記複数種類の操作スイッチの操作順序を報知することを特徴とする、電子血圧計。
【請求項２】
前記電子血圧計を覆う開閉自在のカバーをさらに備え、
前記カバーが開かれたとき、前記複数種類の操作スイッチのうち最初に操作すべきスイッチを報知することを特徴とする、請求項１に記載の電子血圧計。
【請求項３】
前記カフは前記電子血圧計に着脱自在に備えられて、
前記電子血圧計にカフが装着されたか否かを検出するカフ検出部をさらに備え、
前記カフ検出部が、前記電子血圧計に前記カフが装着されたことを検出したとき、前記複数種類の操作スイッチのうち最初に操作すべきスイッチを報知することを特徴とする、請求項１に記載の電子血圧計。
【請求項４】
前記カフが前記血圧測定部位に装着されたことを検出するカフ装着検出部をさらに備え、
前記カフ装着検出部が、前記測定部位に前記カフが装着されたことを検出したとき、前記複数種類の操作スイッチのうち最初に操作すべきスイッチを報知することを特徴とする、請求項１に記載の電子血圧計。
【請求項５】
報知される前記操作順序とは異なった順序で前記操作スイッチが操作された場合、前記操作順序に従い操作されるべき前記操作スイッチを報知することを特徴とする、請求項１〜４のいずれか１項に記載の電子血圧計。
【請求項６】
前記操作順序は、前記操作スイッチを照光させて報知することを特徴とする、請求項１に記載の電子血圧計。
【請求項７】
前記複数種類の操作スイッチのそれぞれに一体的に当該操作スイッチを照光するための手段を備える、請求項６に記載の電子血圧計。
【請求項８】
前記複数種類の操作スイッチそれぞれの付近に当該操作スイッチを照光するための手段を備える、請求項６に記載の電子血圧計。
【請求項９】
前記操作順序に従い前記操作スイッチの照光手段を点灯または点滅させて前記操作順序を報知することを特徴とする、請求項７または８に記載の電子血圧計。
【請求項１０】
前記操作スイッチのためのスイッチ表示手段をさらに備えて、
前記操作順序は、前記スイッチ表示手段を介して表示されることを特徴とする、請求項１に記載の電子血圧計。
【請求項１１】
前記複数種類の操作スイッチのそれぞれに一体的に当該操作スイッチのための前記スイッチ表示手段を備える、請求項１０に記載の電子血圧計。
【請求項１２】
前記複数種類の操作スイッチそれぞれの付近に当該操作スイッチのための前記スイッチ表示手段を備える、請求項１０に記載の電子血圧計。
【請求項１３】
前記カバーと前記電子血圧計の本体とを、前記カバーを開閉自在とするために回動可能に接合するための接合部と、
前記接合部における前記回動に連動して前記カバーの開閉を検知する手段をさらに備える、請求項２に記載の電子血圧計。
【請求項１４】
前記カバーが閉じた状態で前記電子血圧計の本体と前記カバーが接触し、開いた状態で両者が非接触となることに従い前記開閉を検知する手段をさらに備える、請求項２に記載の電子血圧計。
【発明の詳細な説明】
【技術分野】
【０００１】
この発明は電子血圧計に関し、特に、操作スイッチのガイド機能を有する電子血圧計に関する。
【背景技術】
【０００２】
現在、家庭で血圧を測定する機器が急速に普及している。血圧は循環器疾患を解析する指標の一つであり、血圧に基づいてリスク解析を行なうことは、たとえば脳卒中や心不全や心筋梗塞などの心血管系の疾患の予防に有効である。これらのリスク解析は、少なくとも1週間以上の長期間にわたって、同一条件下で測定した測定結果に基づいて行なう必要がある。そこで複数回の測定結果を記録する機能を保有しており、中には、複数人の測定結果が記録可能な血圧計や、朝や夜など測定した条件毎に測定結果が記録可能な血圧計が開発されている。
【０００３】
また、特許文献１には、電子血圧計に本体を覆う保護カバーを設けて、使用者が保護カバーを開けるという血圧測定の最初の段階で、電源供給が開始されるという構成が示される。
【特許文献１】実開昭６２−１３０６０９号公報
【発明の開示】
【発明が解決しようとする課題】
【０００４】
従来の、たとえば、複数人の測定結果を記録する血圧計においては、測定する人を指定する方法として、測定前または測定後にユーザがスイッチ入力することで指定していた。同様に、測定した条件毎に測定結果を記録する血圧計においても、測定前または測定後にユーザが測定条件をスイッチで入力することで指定していた。
【０００５】
このような方法においては、測定者や測定条件の指定操作がユーザの一連の操作に依存されているため、たとえば測定者の指定を忘れて測定を行なうと、測定記録が複数の測定者の測定結果から構成されることとなり、その測定記録から疾患のリスク解析を行なうことが不可能になる。液晶ディスプレイに操作手順を表示する血圧計もあるが、表示部と操作スイッチが乖離しているため、表示部の表示順序で示される操作スイッチが直結せず、完全な誤操作防止とはなっていない。
【０００６】
また、特許文献１によれば、保護カバーを開けるという操作がされると自動的に電源が供給されるので、電源供給開始のための使用者によるスイッチ操作を省略できるが、使用者に対し電源供給開始後に操作すべきスイッチが報知されないので、次に操作すべきスイッチに迷ったり、また初心者は電源が供給されているにもかかわらず電源供給開始のスイッチ操作をしようとしたり、操作性に優れない。
【０００７】
それゆえに、この発明の目的は、正しい操作手順を導くことを可能とする電子血圧計を提供することである。
【課題を解決するための手段】
【０００８】
この発明のある局面に従う電子血圧計は、血圧測定部位に装着されるカフと、カフに加える圧力を調整する加圧・減圧手段と、カフ内の圧力を検出する圧力検出手段と、圧力検出手段による検出信号に基づき血圧を算出する血圧算出手段と、算出された血圧値を記憶する記憶手段と、少なくとも血圧値を表示する表示手段と、複数種類の操作スイッチを有する操作部と、を備え、複数種類の操作スイッチの操作順序を報知する。
【０００９】
したがって、操作スイッチの操作順序が報知されるので被測定者は報知される順序に従いスイッチを操作することにより、誤操作が防止される。この結果、測定結果である血圧値を被測定者を混同して記憶手段に記憶したり、測定条件を混同して記憶したりすることを防止できる。
【００１０】
好ましくは、電子血圧計を覆う開閉自在のカバーをさらに備え、カバーが開かれたとき、複数種類の操作スイッチのうち最初に操作すべきスイッチを報知する。したがって、電子血圧計を使用するために被測定者がカバーを開けると、応じて最初に操作すべきスイッチが報知されるので、誤操作が防止される。
【００１１】
好ましくは、カフは電子血圧計に着脱自在に備えられて、電子血圧計にカフが装着されたか否かを検出するカフ検出部をさらに備え、カフ検出部が、電子血圧計にカフが装着されたことを検出したとき、複数種類の操作スイッチのうち最初に操作すべきスイッチを報知する。したがって、電子血圧計を被測定者が使用するためにカフを電子血圧計に装着すると、応じて最初に操作すべきスイッチが報知されるので、誤操作が防止される。
【００１２】
好ましくは、カフが血圧測定部位に装着されたことを検出するカフ装着検出部をさらに備え、カフ装着検出部が、測定部位にカフが装着されたことを検出したとき、複数種類の操作スイッチのうち最初に操作すべきスイッチを報知する。したがって、電子血圧計を被測定者が使用するためにカフを測定部位に装着すると、応じて最初に操作すべきスイッチが報知されるので、誤操作が防止される。
【００１３】
好ましくは、報知される操作順序とは異なった順序で操作スイッチが操作された場合、操作順序に従い操作されるべき操作スイッチを報知する。したがって、誤った操作順序でスイッチ操作がされても、正しい操作順序に従って操作すべきスイッチが報知されるので、誤操作したことを被測定者に報知することができるとともに、正しいスイッチ操作を促すことができる。
【００１４】
好ましくは、操作順序は、操作スイッチを照光させて報知する。したがって、操作すべき操作スイッチが光で照らされるため、被測定者は次にどのスイッチを操作すべきかが直感できる。
【００１５】
好ましくは、複数種類の操作スイッチのそれぞれに一体的に当該操作スイッチを照光するための手段を備える。したがって、操作スイッチと、それを照光するための手段とは一体的に設けられるので、照光するための手段を設けたとしても、電子血圧計のコンパクト性は損なわれない。また、一体的に設けられるので、スイッチを効果的に光で照らすことができる。
【００１６】
好ましくは、複数種類の操作スイッチそれぞれの付近に当該操作スイッチを照光するための手段を備える。操作スイッチの付近に照光するための手段を設けるので、操作すべきスイッチを光により付近において照らすことができる。
【００１７】
好ましくは、操作順序に従い操作スイッチの照光手段を点灯または点滅させて操作順序を報知する。
【００１８】
好ましくは、操作スイッチのためのスイッチ表示手段をさらに備えて、操作順序は、スイッチ表示手段を介して表示される。したがって、操作すべき操作スイッチを表示により報知することができる。
【００１９】
好ましくは、複数種類の操作スイッチのそれぞれに一体的に当該操作スイッチのためのスイッチ表示手段を備える。したがって、操作スイッチと、それのスイッチ表示手段とは一体的に設けられるので、スイッチ表示手段を設けたとしても、電子血圧計のコンパクト性は損なわれない。
【００２０】
好ましくは、複数種類の操作スイッチそれぞれの付近に当該操作スイッチのためのスイッチ表示手段を備えるので、操作スイッチの付近における表示で操作順序に従うスイッチを確認することができる。
【００２１】
好ましくは、カバーと電子血圧計の本体とを、カバーを開閉自在とするために回動可能に接合するための接合部と、接合部における回動に連動してカバーの開閉を検知する手段をさらに備える。したがって、カバー開閉のための接合部における回動を利用して最初に操作すべきスイッチの報知のタイミングを得ることができる。
【００２２】
好ましくは、カバーが閉じた状態で電子血圧計の本体とカバーが接触し、開いた状態で両者が非接触となることに従い開閉を検知する手段をさらに備える。したがって、カバー開閉に伴いカバーと本体とが接触、または非接触の状態となるのを利用して、最初に操作すべきスイッチの報知のタイミングを得ることができる。
【発明の効果】
【００２３】
発明によれば、操作スイッチの操作順序が報知されるので被測定者は報知される順序に従いスイッチを操作することにより、誤操作が防止される。この結果、測定結果である血圧値を被測定者を混同して記憶手段に記憶したり、測定条件を混同して記憶したりすることを防止できる。
【発明を実施するための最良の形態】
【００２４】
以下図面を参照して各実施の形態について説明する。
図１〜図３には、各実施の形態に係る複数人の被測定者で共用可能な電子血圧計１の構成が示される。電子血圧計１は、本体６１と本体６１の表面を覆って保護するために設けられたフロントカバー６０と、フロントカバー６０と本体６１とを接合する接合部６２を備える。フロントカバー６０は接合部６２を支点にして回動するので図１と図２に示されるように本体６１に対して開閉自在に設けられる。
【００２５】
フロントカバー６０は、図１のように閉じた状態では本体６１の表面が外部から確認できるように透明の材料から形成されてもよく、また不透明の材料から形成されてもよい。透明の材料からなる場合には、血圧測定時にフロントカバー６０を閉じた状態としても表示部２の表示内容（測定中の血圧）を確認するのに都合がよい。
【００２６】
また、本体６１の図面手前側の側面には、電子血圧計１に電源供給するためのコネクタ部２０が設けられて、反対側の側面には図示されないが血圧測定時の空気供給／排気のためのエアコネクタ３１が設けられている。
【００２７】
図３には、血圧測定時の電子血圧計１の使用のための態様が示される。血圧測定するために、被測定者がフロントカバー６０を開けて（図２参照）本体６１の前面部（手前）に収容されている電源コード１８が巻かれたコードリール１９と、カフ５とを取出す。そして、図３に示すようにコードリール１９に巻かれていた電源コード１８を解いて、電源コード１８の一方端のプラグ１７をコネクタ部２０に差し込み、コードリール１９の電源コード１８の他方端の図示されないプラグを図示のないＡＣ電源（商用電源）のコンセント部に挿入する。これにより、電子血圧計１には、ＡＣ電源から電源コード１８を介して電源が供給される。
【００２８】
また、カフ５に接続されたエアチューブ３は一方端はカフ５の図示のない内部の空気袋に接続され、他方端は本体６１のエアコネクタ３１（図示せず）に挿入される。これにより、エアチューブ３を介して、本体６１からカフ５（空気袋）への空気の供給／排気が可能となる。
【００２９】
電子血圧計１は、本体６１に対してカフ５および電源コード１８を着脱自在とすることにより、カフ５と電源コード１８を本体６１とは別体に備えているが、カフ５のみを別体とし、本体６１と電源コード１８を一体的に設けるようにしてもよい。また、フロントカバー６０は本体６０の表面全部を覆うように設けられているが、たとえば前面部（手前）の電源コード１８が巻かれたコードリール１９およびカフ５を収容する部分を除いた他の部分だけを覆うように設けられてもよい。
【００３０】
本体６１の表面には、ユーザが操作可能なように操作部４が設けられ、またユーザが表示内容を確認可能なように測定結果などを表示する表示部２が設けられる。
【００３１】
操作部４には、電源スイッチ４１、使用者選択スイッチ群４２を構成する使用者選択スイッチ４２Ａおよび４２Ｂ、測定の開始または停止を指示するために操作される測定スイッチ４３、本体６１内部の後述のメモリ１３に格納された血圧測定結果のデータを呼出す（メモリ１３から読出されて表示部２に表示する）ために操作される記録呼出スイッチ４４、呼出す対象のデータが朝の測定結果であるか、夜の測定結果であるかを指定するために操作される朝スイッチ４５と夜スイッチ４６、および後述のタイマ１４の計時時間を設定するための時計設定スイッチ４７を含む。操作部４の各種スイッチは導光性を有する材料、たとえばアクリル樹脂からなる。
【００３２】
各種スイッチの背面には、図示されないがＬＥＤ（light emitting diode）などの照光部が設けられており、照光部から照射された光は各スイッチの導光性材料を介して外部に照射される。したがって、各種スイッチを、照光部を用いて発光させることができる。
【００３３】
各実施の形態では、被測定者（ユーザ）を正しい血圧測定の操作手順に導くために操作部４の操作すべきスイッチの操作順序が報知（案内）される。報知は、前述したように各種スイッチの背面の照光部（バックライト）を点滅または点灯させることによりなされる。
【００３４】
（実施の形態１）
本実施の形態１では、フロントカバー６０を開けると操作スイッチの操作順序の報知が開始される。
【００３５】
図４を参照して、本実施の形態１に係る電子血圧計１は、被測定者の血圧測定部位（上腕）に装着されて空気圧により加圧するためのカフ５と、本体６１とカフ５とを接続するエアチューブ３とを備える。図４では、エアコネクタ３１を境にして右側は本体６１に相当する各部を示す。本体６１は被測定者が表示内容を確認可能なように設けられた表示部２および被測定者が外部から操作可能なように設けられた操作部４を備える。ここでは測定部位を上腕としたがこれに限定されず、手首または指であってもよい。
【００３６】
本体６１はカフ５に内蔵されている空気袋（図示せず）を介して検出される被測定部位の脈圧の変化を脈波の信号として出力するための圧力センサ７、圧力センサ７から出力される圧力を示す電圧信号を増幅する増幅回路８、空気袋の測定部位に対する加圧（空気圧）レベルを調整するためのポンプ９および弁１０、ポンプ９を駆動するポンプ駆動回路１１、弁１０の開閉を調整するための弁駆動回路１２、メモリ１３、計時動作して計時データを出力するタイマ１４、コネクタ部２０を有してコネクタ部２０を介して与えられる電力を本体６１の各部に供給する電源部１５、制御部１６およびフロントカバー開閉検出スイッチ２１を備える。制御部１６は、本体６１の各部を制御するＣＰＵ（Central Processing Unit）１６１ならびに入力ポート７１、７２Ａ、７２Ｂ、７３および７４、出力ポート８１、８２Ａ、８２Ｂ、８３および８４を有する。
【００３７】
時計設定スイッチ４７の操作によりタイマ１４の計時データを外部から設定することができる。
【００３８】
電源部１５は充電可能な図示のないバッテリを有して、コネクタ部２０に電源ケーブル１８が接続されない間は、当該バッテリからＣＰＵ１６１を含む制御部１６に電力を供給する。コネクタ部２０に電源ケーブル１８が接続されると、電源ケーブル１８を介して外部のＡＣ電源から供給される電力は電源部１５により本体６１の各部に供給されるとともに、当該バッテリを充電するのにも用いられる。なお、電源部１５は充電可能なバッテリの代わりにアルカリ乾電池で構成されてもよい。その場合、コネクタ部２０に電源ケーブル１８が接続されない間は、当該乾電池からＣＰＵ１６１を含む制御部１６に電力を供給する。コネクタ部２０に電源ケーブル１８が接続されると、電源ケーブル１８を介して外部のＡＣ電源から供給される電力は電源部１５により本体６１の各部に供給されるとともに、当該乾電池は電気的に本体６１の各部と切り離された状態になる。
【００３９】
メモリ１３は、電子血圧計１を複数人で共用するために各ユーザについて測定結果の記憶領域を個別に有する。ここでは２人で共用するために各ユーザ（被測定者）について測定結果記憶領域１３Ａと１３Ｂを有する。測定結果記憶領域１３Ａと１３Ｂそれぞれには、血圧測定結果（最高血圧、最低血圧、脈拍数、測定時間、朝/夜の別）データが格納される。‘朝/夜の別’は、ＣＰＵ１６１が、タイマ１４から入力した測定時間データが、朝の所定期間に該当すると判定すればＣＰＵ１６１により‘朝’を指示するようにセットされて、夜の所定期間に該当すると判定すれば‘夜’を指示するようにセットされる。
【００４０】
図３と図４を参照して、操作部４は、電源スイッチ４１、被測定者を区別するために操作される使用者選択スイッチ４２Ａと４２Ｂ、加圧の開始（測定の開始）または停止（測定の停止）を指示するために操作される測定スイッチ４３、時計設定スイッチ４７、記憶された測定結果データを呼出す（メモリ１３から測定結果のデータを読出して、表示部２に読出した測定結果データを表示する）ために操作される記録呼出スイッチ４４、ならびに朝スイッチ４５と夜スイッチ４６を有する。
【００４１】
朝スイッチ４５と夜スイッチ４６は、記憶された測定結果データの呼出し時に呼出しの対象となるデータを指定するために操作される。つまり、呼出し対象の測定結果データは朝/夜の別が‘朝’を指示するデータであるか、‘夜’を指示するデータであるかを指定するために操作される。
【００４２】
使用者選択スイッチ４２Ａまたは４２Ｂが操作されると、操作されたスイッチに従い測定結果データの格納先または呼出し先が測定結果記憶領域１３Ａと１３Ｂのいずれか一方に指定される。使用者選択スイッチ４２Ａが操作されると測定結果記憶領域１３Ａが指定されて、使用者選択スイッチ４２Ｂが操作されると測定結果記憶領域１３Ｂが指定される。
【００４３】
電源スイッチ４１は後述の電源部１５から各部（制御部１６を除く）への動作のための電力供給をＯＮ／ＯＦＦするために操作される。したがって、動作中に電源スイッチ４１が操作されると動作は停止（終了）させられる。
【００４４】
図４の操作部４には、説明のために、電源スイッチ４１、使用者選択スイッチ４２Ａと４２Ｂ（図示省略）からなる使用者選択スイッチ群４２、測定スイッチ４３および記録呼出スイッチ４４のみが示される。電源スイッチ４１の背面には電源スイッチＬＥＤ５１、使用者選択スイッチ群４２の背面には使用者選択スイッチＬＥＤ群５２、測定スイッチ４３の背面には測定スイッチＬＥＤ５３、および記録呼出スイッチ４４の背面には記録呼出スイッチＬＥＤ５４がそれぞれ一体的に設けられる。使用者選択スイッチＬＥＤ群５２は、使用者選択スイッチ４２Ａと４２Ｂのそれぞれの背面に、図示されないが使用者選択スイッチＬＥＤ（Ａ）と（Ｂ）をそれぞれ一体的に有する。
【００４５】
制御部１６は上述したように入力ポート７１〜７４とそれらの各々と対となる出力ポート８１〜８４を有する。
【００４６】
入力ポート７１は電源スイッチ４１に接続されて電源スイッチ４１が操作されて出力さする信号を入力し、入力ポート７２Ａと７２Ｂは使用者選択スイッチ４２Ａと４２Ｂのそれぞれに接続されて接続されたスイッチが操作されて出力する信号を入力し、入力ポート７３は測定スイッチ４３に接続されて測定スイッチ４３が操作されて出力する信号を入力する。出力ポート８１は電源スイッチＬＥＤ５１に接続されて電源スイッチ５１に対し点滅または点灯の指示信号を出力し、出力ポート８２Ａと８２Ｂは使用者選択スイッチＬＥＤ群５２の使用者選択スイッチＬＥＤ（Ａ）と（Ｂ）に接続されて、接続されたスイッチに対し点滅または点灯の指示信号を出力し、出力ポート８３は測定スイッチＬＥＤ５３に接続されて、接続された測定スイッチＬＥＤ５３に点灯または点滅の指示信号を出力し、出力ポート８４は記録呼出スイッチＬＥＤ５４に接続されて接続された記録呼出スイッチＬＥＤ５４に点滅または点灯の指示信号を出力する。各出力ポートへの指示信号はＣＰＵ１６１により与えられる。
【００４７】
入力ポート７１〜７４のそれぞれに与えられる信号は、所定時間幅を有したパルス信号であり、詳細には当該パルス信号は対応スイッチが操作されると“０”→“１”と変化し、その後ごく短い所定期間レベル“１”を維持し、当該期間終了後、“０”に変化するような信号である。ＣＰＵ１６１は入力ポートのいずれかにパルス信号が与えられたことを検出すると、当該入力ポートに接続されたスイッチが操作されたと判別（検出）する。
【００４８】
フロントカバー開閉検出スイッチ２１は、フロントカバー６０が開状態であるか閉状態であるかを検出し、検出結果信号を制御部１６に出力する。
【００４９】
フロントカバー開閉検出スイッチ２１は、接合部６２に内蔵された図示のないカムの動きによりＯＮ／ＯＦＦする。カムはフロントカバー６０が接合部６２を支点にした開閉動作（回動）に連動して動作する。したがって、フロントカバー開閉検出スイッチ２１のＯＮ（フロントカバー６０が開いた状態）／ＯＦＦ（フロントカバー６０が閉じた状態）の別を示す信号を出力することができる。ＣＰＵ１６１は、フロントカバー開閉検出スイッチ２１から与えられる信号に基づき、フロントカバー６０が開状態または閉状態にあるかを判別することができる。
【００５０】
ここではフロントカバー開閉検出スイッチ２１は一種のカムスイッチからなるとしたが、これに限定されない。たとえば、閉じた状態で本体６１とフロントカバー６０が接触し、開いた状態で両者が非接触となるような位置に当該接触/非接触を検知する機能を設けてもよい。たとえば、フロントカバー６０が図２のように開いた状態で‘ＯＮ’となるスイッチ６１Ｂとマグネット６１Ａからなるとしてもよい。フロントカバー６０が図１のように閉じた状態ではスイッチ６１Ｂとマグネット６１Ａとが吸着してスイッチ６１Ｂは‘ＯＦＦ’となる。
【００５１】
図５には本実施の形態に係る電子血圧計１の正しい動作（血圧測定動作、測定データ呼出動作）のための操作スイッチの操作順序をユーザに報知（案内）するための手順が示される。図５に示されるフローチャートは、予めプログラムとしてメモリ１３の所定領域に格納されて、ＣＰＵ１６１により読出されて実行される。
【００５２】
なお、予め、被測定者は血圧測定時にはエアチューブ３をエアコネクタ３１に接続して、カフ５を血圧測定部位に巻付け、かつプラグ１７をコネクタ部２０に差込んで、電源ケーブル１８はＡＣ電源に接続されて本体６１の各部に電力が供給されていると想定する。なお、血圧測定データの呼出し時には被測定者はエアチューブ３をエアコネクタ３１に接続してカフ５の巻付け操作はしていない場合もある。
【００５３】
このような状態において、ＣＰＵ１６１は、フロントカバー開閉検出スイッチ２１から入力する信号レベルに基づき、フロントカバー６０が開いた状態か否かを判定する（ステップＳ（以下、単にＳと略す）１Ａ）。入力信号に基づきフロントカバー６０が開状態でないことを判定する間は、Ｓ１Ａの処理が繰返される。
【００５４】
信号に基づき、フロントカバー６０が開いたことを検出すると（Ｓ１ＡでＹＥＳ）、ＣＰＵ１６１は、制御部１６の図示のされない作業用メモリを初期化する（Ｓ２）。その後、ＣＰＵ１６１は、出力ポート８１から指示信号を出力して、当該信号により電源スイッチＬＥＤ５１を点滅させる（Ｓ３）。これにより、被測定者は電源スイッチ４１が点滅していることを確認するので、最初に操作すべきスイッチは電源スイッチ４１であることが報知（案内）される。このように、フロントカバー６０が開状態に変化すると、操作案内が開始される。
【００５５】
被測定者が案内に従い電源スイッチ４１を操作するまでは（Ｓ５でＹＥＳ）、ＣＰＵ１６１はスイッチ入力待ちの状態にある（Ｓ４）。
【００５６】
電源スイッチ４１が操作されると、ＣＰＵ１６１は、入力ポート７１にパルス信号が入力されたことに基づき、電源スイッチ４１が操作されたと判定する（Ｓ５でＹＥＳ）。
【００５７】
この判定に基づき、ＣＰＵ１６１は出力ポート８１を介して電源スイッチＬＥＤ５１に指示信号を与えて、電源スイッチＬＥＤ５１の点滅をＯＦＦ（消灯）させて、次に、出力ポート８２Ａと８２Ｂを介して指示信号を出力し、使用者選択スイッチＬＥＤ群５２の各ＬＥＤを点滅させる（Ｓ６）。これにより、被測定者に対して次に操作すべきスイッチは使用者選択スイッチ群４２であることが報知（案内）される。
【００５８】
被測定者が案内に従い使用者選択スイッチ４２Ａと４２Ｂおよび電源スイッチ４１のいずれかを操作するまでは（Ｓ８）、すなわち他のスイッチが操作されればＣＰＵ１６１はスイッチ入力待ちの状態にある（Ｓ７）。
【００５９】
ＣＰＵ１６１は、いずれかの入力ポートにパルス信号が与えられるかを検出する、すなわち何らかのスイッチ操作がなされたかを判定する（Ｓ８）。いずれかの入力ポートにパルス信号が与えられた場合、電源スイッチ４１に対応の入力ポート７１にパルス信号が与えられたことを判定すると、一連の処理を終了する。これにより、今回の動作が強制的に終了する。入力ポート７１、７２Ａおよび７２Ｂ以外の入力ポートにパルス信号が与えられた、すなわち電源スイッチ４１および使用者選択スイッチ群４２を除く他のスイッチの操作がなされたことを判定するとＳ７の処理に戻り、再度スイッチの入力待ち状態に移る。
【００６０】
一方、ＣＰＵ１６１は入力ポート７２Ａまたは７２Ｂにパルス信号が入力されたことを判定すると（Ｓ８で‘使用者選択スイッチ’）、入力ポート７２Ａにパルス信号が与えられた場合には、使用者を“Ａ”、すなわち測定結果の書込先および呼出しを測定結果記憶領域１３Ａと設定し、入力ポート７２Ｂにパルス信号が与えられた場合には、使用者を“Ｂ”、すなわち測定結果の書込先および呼出しを測定結果記憶領域１３Ｂと設定する（Ｓ８ａ）。
【００６１】
その後、ＣＰＵ１６１は、使用者選択スイッチＬＥＤ群５２を消灯するために、出力ポート８２Ａと８２Ｂを介して指示信号を出力し使用者選択スイッチＬＥＤ群５２の点滅を停止させて、続いて、出力ポート８３と出力ポート８４を介して指示信号を出力し、測定スイッチＬＥＤ５３と記録呼出スイッチＬＥＤ５４とを交互に点滅させる（Ｓ９）。これにより、測定スイッチ４３と記録呼出スイッチ４４は交互に点滅するので、被測定者は次に操作すべきスイッチは測定スイッチ４３か記録呼出スイッチ４４であることを確認することができる。
【００６２】
ＣＰＵ１６１は、測定スイッチ４３を点滅させながら、スイッチ操作がされるか否かを、いずれかの入力ポートにパルス信号が与えられるか否かにより判定し、この判定をスイッチ入力待ち状態において行なう（Ｓ１０）。いずれかの入力ポートにパルス信号が与えられた場合、そのパルス信号に対応のスイッチは何であるかを当該入力ポートの別に基づき判定する（Ｓ１１）。パルス信号が与えられたのは入力ポート７１であることを判定すると（Ｓ１１で‘電源スイッチ’）、ＣＰＵ１６１は電源部１５を各部への電力供給を停止するように指示するので、電源部１５による各部への電力供給は停止する。したがって、操作部４の各スイッチのＬＥＤも消灯する。そして、一連の処理は終了する。
【００６３】
一方、入力ポート７３にパルス信号が与えられたことを判定すると（Ｓ１１で‘測定スイッチ’）、ＣＰＵ１６１はＳ１２以降の後述する血圧測定のための処理を開始する。
【００６４】
入力ポート７１および７３を除く他の入力ポートにパルス信号が与えられたことを判定すると、測定スイッチ４３および電源スイッチ４１を除く他のスイッチが操作されと判定し（Ｓ１１で‘他のスイッチ’）、測定スイッチＬＥＤ５３を消灯させて、操作された他のスイッチの種別を判別する（Ｓ１７）。つまり、パルス信号が与えられた入力ポートが入力ポート７２Ａまたは７２Ｂであれば、Ｓ８で設定された使用者（被測定者）の切換であると判定し（Ｓ１７で‘使用者選択スイッチ’）、ＣＰＵ１６１は使用者を、パルス信号が与えられた入力ポートに対応の使用者に切換える（Ｓ１８）。たとえば、入力ポート７２Ａにパルス信号が与えられた場合には、使用者を“Ａ”、すなわち測定結果の書込先および呼出しを測定結果記憶領域１３Ａと設定し、入力ポート７２Ｂにパルス信号が与えられた場合には、使用者を“Ｂ”に切換え、すなわち測定結果の書込先および呼出しを測定結果記憶領域１３Ｂと設定する。その後、Ｓ１０の処理に戻りスイッチ入力待ちの状態に移行する。
【００６５】
一方、パルス信号が入力ポート７４に与えられたことを判定すると（Ｓ１７で‘記録呼出スイッチ’）、ＣＰＵ１６１は血圧測定結果をメモリ１３から呼出す（Ｓ１９）。すなわち、Ｓ８ａまたはＳ１８で設定された使用者（Ａ）または（Ｂ）のいずれかに対応の測定結果記憶領域１３Ａおよび１３Ｂのいずれかから測定結果データを読出して、表示部２に表示する。その後、ステップＳ１０の処理に戻る。
【００６６】
なお、Ｓ１９において、朝スイッチ４５が操作されている場合には、ＣＰＵ１６１は設定された測定結果記憶領域から‘朝/夜の別’が‘朝’を指示する測定結果データを呼出し、夜スイッチ４６が操作されている場合には‘朝/夜の別’が‘夜’を指示する測定結果データを呼出す。
【００６７】
次に、Ｓ１２以降の血圧測定の動作について説明する。
被測定者は測定スイッチ４３を操作するので（Ｓ１１で‘測定スイッチ’）、ＣＰＵ１６は、測定スイッチＬＥＤ５３を消灯させて、その後、電子血圧計１の初期化処理として、各部を制御してカフ５の空気袋内の空気を排気し、圧力センサ７の０ｍｍＨｇ補正を行なう（Ｓ１１ａ）。
【００６８】
初期化処理が終了すると、ＣＰＵ１６１は各部を制御して、空気袋内の圧力を被測定者の最高血圧＋４０ｍｍＨｇ程度まで加圧し（Ｓ１２）、その後、徐々に空気袋内の圧力を減圧していく（Ｓ１３）。この減圧過程において空気袋内の圧力は圧力センサ７および増幅回路８で検出されるので、制御部１６の血圧算出部（図示せず）は増幅回路８から出力される電圧信号に基づき血圧（最高血圧および最低血圧）値ならびに脈拍数を算出してＣＰＵ１６１の内部メモリに一時的に格納するとともに（Ｓ１４）、制御部１６の表示制御部（図示せず）は算出された血圧値および脈拍数を表示部２に表示する（Ｓ１５）。血圧測定のための加圧・減圧の処理は従来の電子血圧計のそれと同様である。なお、ここでは血圧測定は減圧過程でするとしているが加圧過程で行なうようにしてよい。
【００６９】
ＣＰＵ１６１は、血圧と脈拍の算出・表示が終了すると、タイマ１４から与えられる計時データに基づき測定時間データを取得する。そして取得した計時データが‘朝’の所定時間帯に該当すれば‘朝/夜の別’を‘朝’と設定し、‘夜’の所定時間帯に該当すれば‘朝/夜の別’を‘夜’と設定する。そして、取得した測定時間データと、設定した‘朝/夜の別’のデータと、ＣＰＵ１６１の内部メモリから読出した血圧（最高血圧および最低血圧）値ならびに脈拍数を示すデータからなる速敵結果データを生成して、生成された測定結果データをＳ８ａまたはＳ１８で書込先として設定された測定結果記憶領域１３Ａまたは１３Ｂに格納する（Ｓ１６）。これで、一連の血圧測定は終了する。
【００７０】
図５では、Ｓ４とＳ５のループ処理またはＳ７とＳ８のループ処理で示すように、報知された次に操作すべきスイッチが操作されるまでは当該スイッチの点滅を継続させている、言い換えると報知（案内）された操作順序とは異なる順序でスイッチが操作された場合であっても、被測定者に対して正しい操作順序に従い操作すべきスイッチを報知することができる。
【００７１】
（実施の形態２）
図６〜図９を参照して実施の形態２について説明する。
【００７２】
図６には本実施の形態２に係る電子血圧計１の機能構成が示される。図４に示した機能構成と比較し異なる点は、フロントカバー開閉検出スイッチ２１に代替してカフ接続検出スイッチ２２を設ける点にある。カフ５は本体６１にエアコネクタ３１を介して着脱自在に接続されて、カフ接続検出スイッチ２２は、電子血圧計１にカフ５が接続された、すなわち電子血圧計１にカフ５が装着されたことを検出する機能を有するカフ検出部を構成する。カフ接続検出スイッチ２２はエアコネクタ３１に関連して設けられて、エアコネクタ３１にカフ５１のエアチューブ３のカフ５とは反対側の端が接続されたことを検出すると、検出信号を制御部１６に与える。
【００７３】
エアコネクタ３１は、たとえば図８（Ａ）と（Ｂ）に示すように本体６１の内部に所定の間隔をおいた電極３４１と３４２を有する。電極３４２は支持部材３４３を介してバネ３３の伸縮により自在に上下動する。エアコネクタ３１に関連して本体６１の側壁に外部に開口して形成された孔にエアチューブ３の一端が図８（Ｂ）のように、→方向に嵌め込まれることにより、バネ３３はエアチューブ３の一端にエアチューブ３の周囲を覆うように設けられた部材３２の重みなどにより縮むので、その反動で支持部材３４３の電極３４２が載置された方が上昇する。これにより電極３４２の位置は上昇して、電極３４２は電極３４１と接触して両電極間は短絡する。カフ接続検出スイッチ２２は当該短絡を検出すると、カフ５が接続されたことを示す接続検出信号（レベル‘０’→‘１’に変化）を制御部１６に出力する。カフ５が接続されない間は、接続検出信号はレベル‘０’のままである。したがって、制御部１６は接続検出信号のレベルの変化によりカフ５の本体６１への接続を判別する。
【００７４】
カフ５の接続は図９（Ａ）と（Ｂ）に示すようにして検出されてもよい。本体６１内部には、側面のエアコネクタ３１のための開口と連通した通路３４４が形成されている。通路３４４には通路３４４を挟むようにして電極３４１と３４２が設けられている。外部からエアコネクタ３１の開口を介して、図９（Ｂ）の→で示すように、通路３４４にエアチューブ３の端が挿通される。エアチューブ３の端には導電性部材３４からならる管が設けられている。挿通されると導電性部材３４は電極３４１と３４２間において嵌合した状態（図９（Ｂ）参照）となるので、電極３４１と３４２間は導電性部材３４により導通状態となる。カフ接続検出スイッチ２２は当該導通状態となったことを検出すると、カフ５が接続されたことを示す接続検出信号（レベル‘０’→‘１’に変化）を制御部１６に出力する。カフ５が接続されない間は、接続検出信号はレベル‘０’のままである。したがって、制御部１６は接続検出信号のレベルの変化によりカフ５の本体６１への接続を判別する。
【００７５】
図７には、実施の形態２に係る電子血圧計１の正しい動作（血圧測定動作、測定データ呼出動作）のための操作スイッチの操作順序をユーザに報知（案内）するための手順が示される。図７のフローチャートは予めプログラムとしてメモリ１３の所定領域に格納されて、ＣＰＵ１６１により読出されて実行される。
【００７６】
図７のフローチャートと図５のフローチャートを参照し異なる点は、図５のステップＳ１ＡがステップＳ１Ｂに代替された点にある。他の処理は、図５のそれと同じである。
【００７７】
ステップＳ１Ｂでは、ＣＰＵ１６１はカフ５が電子血圧計１の本体６１に接続されたか否かをカフ接続検出スイッチ２２からの接続検出信号に基づき判別する。つまり、ＣＰＵ１６１は接続検出信号が、レベル‘０’→‘１’に変化してことに応じて、カフ５が接続されたことを検出する。この検出に応じて、ステップＳ２以降の処理が図５と同様に実行される。
【００７８】
このように、本実施の形態２では、カフ５が本体６１に接続されると、操作案内が開始されて最初に操作すべきスイッチ（電源スイッチ４１）が点滅する。
【００７９】
（実施の形態３）
実施の形態３を図１０〜図１２を参照して説明する。
【００８０】
実施の形態３に係る電子血圧計１の構成が図１０に示される。図１０の構成と図４の構成を比較し異なる点は、フロントカバー開閉検出スイッチ２１に代替して、カフ５の内部にカフ巻付け検出スイッチ２３が設けられた点にある。カフ巻付け検出スイッチ２３は、図１２に示されるように、２つの電極２３Ａと２３Ｂを含む。電極２３Ａと２３Ｂはカフ５の内部に設けられて、被測定者が血圧測定部位にカフ５を装着するために図１２の矢印方向にカフ５を巻付けることにより、測定のための所定の巻付け位置において電極２３Ａと２３Ｂが接触（短絡）する。当該短絡により、カフ巻付け検出スイッチ２３が出力する検出信号はレベル‘０’→‘１’に変化する。当該検出信号は制御部１６に与えられる。なお、カフ５の装着時にはエアチューブ３はエアコネクタ３１に接続されていると想定する。
【００８１】
ＣＰＵ１６１はカフ巻付け検出スイッチ２３からの検出信号がレベル‘０’→‘１’に変化したことに応じて、カフ５が血圧測定部位に装着されたことを判別する。このように、カフ巻付け検出スイッチ２３は、血圧測定部位にカフ５が装着されたことを検出する機能を有するカフ装着検出部を構成する。
【００８２】
なお、図１０では、カフ巻付け検出スイッチ２３からの信号線は、説明を簡単にするために、制御部１６に直接接続されるが、実際は、チューブ３およびエアコネクタ３１を経由して、制御部１６に与えられると想定する。
【００８３】
図１１には、実施の形態３に係る電子血圧計１の正しい動作（血圧測定動作、測定データ呼出動作）のための操作スイッチの操作順序をユーザに報知（案内）するための手順が示される。図１１のフローチャートは予めプログラムとしてメモリ１３の所定領域に格納されて、ＣＰＵ１６１により読出されて実行される。
【００８４】
図１１のフローチャートと図５のフローチャートを参照し異なる点は、図５のステップＳ１ＡがステップＳ１Ｃに代替された点にある。他の処理は、図５のそれと同じである。
【００８５】
ステップＳ１Ｃでは、ＣＰＵ１６１はカフ５が血圧測定部位に巻付けられて装着されたか否かをカフ巻付け検出スイッチ２３からの検出信号に基づき判別する。つまり、ＣＰＵ１６１は検出信号がレベル‘０’→‘１’に変化したことに応じて、カフ５が巻付けされたことを検出する。この検出に応じて、ステップＳ２以降の処理が図５と同様に実行される。
【００８６】
このように、本実施の形態３では、カフ５が血圧測定部位に巻付けされて装着されると、操作案内が開始されて、最初に操作すべきスイッチ（電源スイッチ４１）が点滅する。
【００８７】
次に操作手順の報知（案内）の具体例を、実施の形態１のようにフロントカバー６０を開けると操作案内が開始されるケースについて、図１３〜図１７を参照して説明する。なお、図１４〜図１７では実際は図３に示すように本体６１にカフ５が接続されて、電源コード１８が接続されているが、図示を簡単にするために、これらの接続は略している。
【００８８】
また図１４〜図１７では、表示部２は主に測定結果データを表示するための領域２Ａ、被測定者の別を表示するための領域２Ｂ、および動作モードの別（血圧測定または測定データ呼出の別）を表示するための領域２Ｃを含む。領域２Ｂと２Ｃの表示用のデータは予めメモリ１３などに格納されており、ＣＰＵ１６１により読出されて表示されると想定する。
【００８９】
まず、被測定者は図１３に示されるように、フロントカバー６０が閉じた状態で（カフ５および電源コード１８が巻付けられたコードリール１９が収納された状態の）電子血圧計１を準備する。
【００９０】
次に、血圧測定を開始するために、ユーザはフロントカバー６０を開ける（図１４参照）。これにより、実施の形態１で説明したように、電源スイッチ４１が点滅する。この状態では表示部には何ら表示がされない。電源スイッチ４１の点滅により、電源スイッチ４１の操作が案内された（操作が促された）被測定者は、電源スイッチ４１を操作するので、表示部２の領域２Ａには、電源がオンされて各部に電力が供給されて動作（血圧測定または測定データの呼出し）が可能な状態にあることを知らせるために、図１５に示されるようなデータが表示される。これにより、被測定者は電源スイッチ４１を操作したことに応じて各部に電力が供給されたことを確認できる。
【００９１】
電源スイッチ４１が操作されると、ＣＰＵ１６１は図１５のように、電源スイッチ４１の点滅を消灯させて、使用者選択スイッチ群４２を点滅させる。したがって被測定者は次に操作すべきスイッチは使用者選択スイッチ４２Ａと４２Ｂのいずれかであることを知る。
【００９２】
たとえば“Ａ”の被測定者が使用者選択スイッチ４２Ａを操作すると、ＣＰＵ１６１は、使用者選択スイッチ群４２の点滅を消灯させる。次に測定スイッチ４３を点滅させる。これにより、次に操作すべきは測定スイッチ４３であることが報知される。また、表示部２の表示領域２Ａに測定動作または測定結果データの呼出の動作が可能な状態が整ったことを示すように“０”を表示し表示領域２Ｂには、使用者として“Ａ”が選択されたことを明示する（図１６参照）。これにより、被測定者は、電子血圧計１において正しい使用者選択がなされたことを知ることができるとともに、動作が可能な状態になったことを知ることが出来る。
【００９３】
被測定者が点滅している測定スイッチ４３を操作すると、図１７のように測定スイッチ４３の点滅は消灯して、血圧測定が開始される（カフ５は測定部位に予め装着されている）。血圧測定が開始されると、表示領域２Ａには測定されつつある血圧データが表示される。また表示領域２Ｃには現在血圧測定中であることが文字“測定”を表示することにより報知される。また、領域２Ｂには、血圧測定のための被測定者の選択が“Ａ”であることが示されている。
【００９４】
このように、表示部２の各表示領域を介して、スイッチの操作状況に応じたデータを表示することにより、被測定者に対して操作の進捗を提示し、また、操作内容の確認を促すことができる。
【００９５】
（さらなる他の実施の形態）
ここでは、操作部４の各スイッチのバックライト（照光部）としてＬＥＤを用いているので、消費電力の低減または発熱量の低減を図ることができる。ＬＥＤに較べると消費電力および発熱量は大きいがＬＥＤに代替してランプを用いてもよい。
【００９６】
また、図１８に示すように、バックライトのＬＥＤに代替して操作部４の各スイッチの付近にそれぞれ照光部（ＬＥＤ９１、９２Ａ、９２Ｂおよび９３）を設けて、各出力ポートを介して、これらＬＥＤを点滅させるようにしてもよい。
【００９７】
また、図１９で示すように図４の電源スイッチＬＥＤ５１、使用者選択スイッチＬＥＤ群５２、測定スイッチＬＥＤ５３、記録呼出スイッチＬＥＤ５４のそれぞれを、電源スイッチＬＣＤ（Liquid crystal display）５１１、使用者選択スイッチＬＣＤ群５２１、測定スイッチＬＣＤ５３１、記録呼出スイッチＬＣＤ５４１に代替して、これらＬＣＤ表示のためのＣＰＵ１６１からの信号は出力ポート８１１、８２１Ａ、８２１Ｂ、８３１および８４１から出力する。各ＬＣＤの表示は対応スイッチが操作スイッチとして報知されるときには、当該スイッチが操作されるべきスイッチであることを報知するための所定情報（絵、文字時、記号など）が表示されるようにしてもよい。各ＬＣＤの表示内容は一体的に形成された対応のスイッチの導光性の樹脂材料を介して外部から確認することができる。
【００９８】
また、これらＬＣＤを各操作スイッチの付近に図２０に示すように設けてもよい。
上述した各実施の形態は、複数人で電子血圧計１が共用できる場合を想定していたが、共用できない場合にも、すなわちメモリ１３に測定結果の記憶領域が個人毎に設けられない場合にも同様に適用することが可能である。その場合には、使用者選択スイッチ群４２は設けられないので、電源スイッチ４１の次に操作すべきスイッチとして報知されるのは測定スイッチ４３となる。
【００９９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１００】
【図１】各実施の形態に係る電子血圧計の概観図である。
【図２】各実施の形態に係る電子血圧計の概観図である。
【図３】各実施の形態に係る電子血圧計の概観図である。
【図４】実施の形態１に係る電子血圧計の機能構成図である。
【図５】実施の形態１に係る電子血圧計の処理フローチャートである。
【図６】実施の形態２に係る電子血圧計の機能構成図である。
【図７】実施の形態２に係る電子血圧計の処理フローチャートである。
【図８】（Ａ）と（Ｂ）はカフ接続検出スイッチの構成の一例を示す図である。
【図９】（Ａ）と（Ｂ）はカフ接続検出スイッチの構成の他の例を示す図である。
【図１０】実施の形態３に係る電子血圧計の機能構成図である。
【図１１】実施の形態３に係る電子血圧計の処理フローチャートである。
【図１２】カフ巻付け検出スイッチの構成の一例を示す図である。
【図１３】操作手順の報知の具体例を示す図である。
【図１４】操作手順の報知の具体例を示す図である。
【図１５】操作手順の報知の具体例を示す図である。
【図１６】操作手順の報知の具体例を示す図である。
【図１７】操作手順の報知の具体例を示す図である。
【図１８】さらなる他の実施の形態に係る電子血圧計の概観図である。
【図１９】さらなる他の実施の形態に係る電子血圧計の機能構成図である。
【図２０】さらなる他の実施の形態に係る電子血圧計の概観図である。
【符号の説明】
【０１０１】
１  電子血圧計、２  表示部、４  操作部、５  カフ、６０  フロントカバー、６１  本体、２１  フロントカバー検出スイッチ、２２  カフ接続検出スイッチ、２３  カフ巻付け検出スイッチ。
【図１】
2007044438.tif 000003
【図２】
2007044438.tif 000004
【図３】
2007044438.tif 000005
【図４】
2007044438.tif 000006
【図５】
2007044438.tif 000007
【図６】
2007044438.tif 000008
【図７】
2007044438.tif 000009
【図８】
2007044438.tif 000010
【図９】
2007044438.tif 000011
【図１０】
2007044438.tif 000012
【図１１】
2007044438.tif 000013
【図１２】
2007044438.tif 000014
【図１３】
2007044438.tif 000015
【図１４】
2007044438.tif 000016
【図１５】
2007044438.tif 000017
【図１６】
2007044438.tif 000018
【図１７】
2007044438.tif 000019
【図１８】
2007044438.tif 000020
【図１９】
2007044438.tif 000021
【図２０】
2007044438.tif 000022